(57)【特許請求の範囲】
【請求項１】
ホスト装置に接続され、前記ホスト装置からの要求に基づいて、所望の記録データを記録媒体に書込み、レーベル面に所望の印刷を行うことにより、所望の記録媒体を作成する記録媒体作成システムであって、
前記ホスト装置からの記録媒体の作成要求を受付ける受付処理部と、
前記記録媒体の作成処理手順を管理するプロセス管理部と、
前記記録媒体のレーベル面に印刷する印刷データに基づいて、レーベル面の印刷画像のサムネイルデータを生成するサムネイル生成部と、
進捗状況の表示要求に基づいて、前記プロセス管理部及び前記サムネイル生成部から、各作成要求毎の進捗状況とサムネイルデータを取得して、該進捗情報とサムネイルデータとを対応づけて表示する表示データを出力する進捗要求処理部と
を備えることを特徴とする記録媒体作成システム。
【請求項２】
前記サムネイル生成部は、前記印刷データを受信したときに前記サムネイルデータを生成することを特徴とする請求項１に記載の記録媒体作成システム。
【請求項３】
前記サムネイル生成部は、前記進捗情報の表示要求があったときに、前記サムネイルデータを生成することを特徴とする請求項１に記載の記録媒体作成システム。
【請求項４】
前記サムネイル生成部は、前記印刷データの一部をサムネイルデータとして生成することを特徴とする請求項１から３のいずれか１項に記載の記録媒体作成システム。
【請求項５】
前記サムネイル生成部は、前記印刷データの特徴部分を前記サムネイルデータとして生成することを特徴とする請求項４に記載の記録媒体作成システム。
【請求項６】
記録媒体の作成要求に基づき、記録媒体に所望の記録データを書きこみ、該記録媒体のレーベル面に所望の印刷データを印刷することにより、所望の記録媒体を作成する記録媒体作成処理システムにおいて、各作成処理の進捗情報の表示制御方法であって、
（ａ）前記記録媒体のレーベル面に印刷するための印刷データから印刷画像のサムネイルデータを生成する工程と、
（ｂ）進捗状況の表示要求に基づいて、前記作成要求毎の進捗情報と前記サムネイルデータを取得する工程と、
（ｃ）前記進捗情報と前記サムネイルデータとを対応づけて表示する進捗表示データを生成する工程と、
（ｄ）前記進捗表示データを出力する工程と、
を備えることを特徴とする進捗情報の表示制御方法。
【請求項７】
前記工程（ａ）は、前記印刷データを受信したときに前記サムネイルデータを生成することを特徴とする請求項６に記載の進捗情報の表示制御方法。
【請求項８】
前記工程（ａ）は、前記進捗情報の表示要求があったときに、前記サムネイルデータを生成することを特徴とする請求項６に記載の進捗情報の表示制御方法。
【請求項９】
前記工程（ａ）は、前記印刷データの一部を前記サムネイルデータとして生成することを特徴とする請求項７また８に記載の進捗情報の表示制御方法。
【請求項１０】
前記工程（ａ）は、前記印刷データの特徴部分を前記サムネイルデータとして生成することを特徴とする請求項９に記載の進捗情報の表示制御方法。
【請求項１１】
前記工程（ｃ）は、前記記録媒体の作成要求順に記録媒体の作成処理の進捗情報を表示する進捗情報表示データを生成することを特徴とする請求項６から１０のいずれか１項に記載の進捗情報の表示制御方法。
【発明の詳細な説明】
【技術分野】
【０００１】
本発明は、光ディスク等の記録媒体にデータを書込み、記録媒体の表面にラベル印刷を行う記録媒体作成装置に関し、特に、同時に複数の記録媒体の作成処理が可能であり、要求に応じて各作成要求毎の進捗状況を表示する記録媒体作成システム及びその進捗情報の表示制御方法に関する。
【背景技術】
【０００２】
近時、大量のデータを記録してユーザに配布する記録媒体として、または大量データを長期間保存する記録媒体として、ＣＤ、ＤＶＤなどの光ディスク（以下、「記録媒体」）と称する）が広く使用されている。このような記録媒体に記録データを書込む記録装置における進捗状況の表示方法としては、例えば、処理作業の何％が完了したかを進捗バーの長さで表示するものがある。また他の進捗状況の表示方法として、印刷装置において、印刷中のページの印刷が完了した部分のみをサムネイル表示することにより(印刷進行状況に合わせてサムネイルの一部を表示する）、印刷処理の進捗状況を知らせるもの（特許文献１参照）が存在する。
【０００３】
さらに、ネットワークに接続された印刷装置等のように、複数の印刷要求が存在するときの進捗表示として、各印刷要求をジョブ番号等により特定して「印刷実行中」、又は「待機中」の表示が各印刷要求ごとに一行づつ羅列して表示されるものもある。
【０００４】
【特許文献１】特開２００３−２８０８６７号公報
【発明の開示】
【発明が解決しようとする課題】
【０００５】
近時、大量の記録データを光ディスクに記録する要請が高まり、光ディスクに高速でデータ記録するとともに、レーベル印刷ができる装置が求められている。このような高速書込みと高速レーベル印刷が可能な記録媒体作成装置では、ＬＡＮ等の通信回線を通じて、集中して複数の記録媒体作成要求されることがある。このような場合、同時に複数の処理（複数の記録媒体への書込み処理及び印刷処理）が並行して行われる。
【０００６】
ここで、同時に複数の記録媒体の作成処理を行う記録媒体作成装置では、作成の要求から完成までに複数の処理が競合するため作成に時間がかかることが考えられるので、各記録媒体の作成の進捗状況を容易に確認できることが望まれる。
【０００７】
しかし、進捗状況を進捗バーの長さで表示する従来技術や、特許文献１に記載の表示方法では、書込み処理と印刷処理等の複数の処理が複合的に存在する記録媒体作成処理の進捗状況を表示することができない。また、ネットワークプリンタ等の進捗表示のように、複数のジョブを同時に表示する従来技術の進捗表示では、複数のジョブの進捗状況がジョブ番号とともに羅列されるだけであるので、多数の進捗情報が表示される場合には、確認したい自己の記録媒体作成処理の進捗情報がどこに表示されているのかをすぐに確認することが難しい。
【０００８】
本発明はこのような従来技術の問題点に鑑みてなされたもので、多数の進捗表示がされる場合であっても、自己の記録媒体作成処理の進捗状況がどこに表示されているかを視覚的にすぐに認識することができるように進捗情報を表示する記録媒体作成システム及び進捗情報の表示制御方法を提供することを目的とする。
【課題を解決するための手段】
【０００９】
本発明は、進捗情報の表示要求があったときに、少なくとも要求のあった記録媒体のレーベル印刷データから印刷イメージのサムネイルデータを生成して、該サムネイルデータと対応するジョブの進捗情報とを関連づけて表示することにより、上記課題を解決する。
【００１０】
本発明の第１の態様にかかる記録媒体作成システムは、ホスト装置に接続され、ホスト装置からの要求に基づいて、所望の記録データを記録媒体に書込み、レーベル面に所望の印刷を行うことにより、所望の記録媒体を作成する記録媒体作成システムであって、ホスト装置からの記録媒体の作成要求を受付ける受付処理部と、記録媒体の作成処理手順を管理するプロセス管理部と、記録媒体のレーベル面に印刷する印刷データに基づいて、レーベル面の印刷画像のサムネイルデータを生成するサムネイル生成部と、進捗状況の表示要求に基づいて、プロセス管理部及びサムネイル生成部から、各作成要求毎の進捗状況とサムネイルデータを取得して、該進捗情報とサムネイルデータとを対応づけて表示する表示データを出力する進捗要求処理部と、を備えることを特徴とする。この態様によると、進捗状況を表す情報が記録媒体のサムネイルと対応付けられて表示されるので、多数のジョブの進捗情報が表示される場合であっても、サムネイルにより自己のジョブの進捗状況を一見して識別することが可能となる。
【００１１】
本発明の他の態様にかかる記録媒体作成システムは、サムネイル生成部が、印刷データを受信したときにサムネイルデータを生成することを特徴とする。この態様では、作成要求受付時にサムネイルデータを生成するので、進捗情報の要求があったときに、迅速に進捗情報の表示データを提供することが可能となる。
【００１２】
本発明の他の態様にかかる記録媒体作成システムは、サムネイル生成部が、進捗情報の表示要求があったときに、サムネイルデータを生成することを特徴とする。この態様によると、受付け処理時にサムネイルデータの生成を行わないので、迅速な受付け処理が可能となる。また、進捗情報の要求があった装置に関連するジョブだけをサムネイル表示する場合などには、不要のサムネイルデータの作成を行う必要がなくなるので、より効率的な処理が可能となる。尚、進捗情報の提供の要求に基づいて作成されたサムネイルデータは、そのジョブが終了するまで記憶するように構成することも可能である。
【００１３】
本発明の他の態様にかかる記録媒体作成システムは、サムネイル生成部は、印刷データの一部をサムネイルデータとして生成することを特徴とする。この態様では、印刷データの全部ではなく、一部をサムネイルデータとして生成する。これにより、サムネイルデータの生成のための負荷を軽減することが可能となる。
【００１４】
本発明の他の態様にかかる記録媒体作成システムは、サムネイル生成部が、印刷データの特徴部分をサムネイルデータとして生成することを特徴とする。この態様では、印刷データの特徴部分のみをサムネイルデータとする。これにより、サムネイルデータの生成の付加を削減するとともに、サムネイルによる識別力をより高めることができるようになる。
【００１５】
本発明の第１の態様にかかる進捗情報の表示制御方法は、記録媒体の作成要求に基づき、記録媒体に所望の記録データを書きこみ、該記録媒体のレーベル面に所望の印刷データを印刷することにより、所望の記録媒体を作成する記録媒体作成処理システムにおいて、各作成処理の進捗情報の表示制御方法であって、
（ａ）記録媒体のレーベル面に印刷するための印刷データから印刷画像のサムネイルデータを生成する工程と、
（ｂ）進捗状況の表示要求に基づいて、作成要求毎の進捗情報とサムネイルデータを取得する工程と、
（ｃ）進捗情報とサムネイルデータとを対応づけて表示する進捗表示データを生成する工程と、
（ｄ）進捗表示データを出力する工程と、
を備えることを特徴とする。
【００１６】
本発明の他の態様にかかる進捗情報の表示制御方法は、工程（ａ）が、印刷データを受信したときにサムネイルデータを生成することを特徴とする。
【００１７】
本発明の他の態様にかかる進捗情報の表示制御方法は、工程（ａ）が、進捗情報の表示要求があったときに、サムネイルデータを生成することを特徴とする。
【００１８】
本発明の他の態様にかかる進捗情報の表示制御方法は、工程（ａ）が、印刷データの一部をサムネイルデータとして生成することを特徴とする。
【００１９】
本発明の他の態様にかかる進捗情報の表示制御方法は、工程（ａ）が、印刷データの特徴部分をサムネイルデータとして生成することを特徴とする。
【００２０】
本発明の他の態様にかかる進捗情報の表示制御方法は、工程（ｃ）が、記録媒体の作成要求順に記録媒体の作成処理の進捗情報を表示する進捗情報表示データを生成する。
【発明の効果】
【００２１】
本発明によると、進捗情報を、作成者が指定した印刷画像のサムネイルと対応付けて表示するので、複数の作成要求が表示されていても、自己の記録媒体の進捗情報がどれであるかをすぐに識別することが可能である。
【発明を実施するための最良の形態】
【００２２】
図面を用いて本発明の実施形態を説明する。図１は本発明の一実施形態にかかる記録媒体作成システム１の構成を示す機能ブロック図である。
記録媒体作成システム１は、複数のクライアントＰＣ５０、５１、サーバ５２、及びホスト装置５３（以下「ＰＣ等５０〜５３」と称する）と記録媒体作成装置１０とを備えている。クライアントＰＣ５０，５１及びサーバ５２はＬＡＮ等の通信回線６０を介して記録媒体作成装置１０に接続されている。通信回線６０を介することなく、ホスト装置５３から直接接続する構成とすることも可能である。
【００２３】
記録媒体作成装置１０は、ＰＣ等５０〜５３からの記録媒体の作成要求に応じて、ＣＤ、ＤＶＤ等の光ディスク（記録媒体）にデータを書込み、レーベル印刷を行う装置である。接続されるＰＣ等５０〜５３の数に応じて、内部に複数のデータ記録装置及び印刷装置を備えることができ、所望の記録媒体を高速で作成することができる。
【００２４】
クライアントＰＣ５０に示すように、ＰＣ等５０〜５３は、記録媒体作成装置１０に対して、記録媒体の作成要求及びその進捗情報の提供を要求するソフトウェア（作成アプリ）５５、及び通信回線６０を介してデータの送受信を行い、受信したデータをＰＣ等５０〜５３の画面上に表示するブラウザ等のソフトウェア（以下、「ブラウザ」と称する）５６を備えている。ここで「記録媒体の作成」とは、作成者の要求に応じて未使用の記録媒体へ所望のデータ(記録データ）を書込み、所望の画像をレーベル印刷する一連の処理をいう。これにより、作成者の希望する記録媒体が作成される。
【００２５】
記録媒体作成装置１０は、内部に未使用の記録媒体（以下、「未使用記録媒体」という）を多数収納しており、作成要求があると未使用記録媒体を取り出して要求された記録データを書込み、レーベル面に所望の印刷を行う。記録データが書込まれ、レーベル印刷がされた記録媒体（以下、「作成済記録媒体」という）は、取出し要求があるまで、記録媒体作成装置１０の内部に保管される。保管された作成済記録媒体は、作成者からの取出し要求により外部に取出すことができる。作成者以外の取り出しを防止するために、取出し要求の際には、所定のパスワード等の入力を求めることができる。
【００２６】
＜本発明の一実施形態にかかる記録媒体作成装置の構成＞
図１に基づいて、記録媒体作成装置１０の構成を説明する。記録媒体作成装置１０は、ＰＣ等５０〜５３との通信インタフェース１１、論理制御部１２、及び各種機能モジュール１３〜２０を備えている。機能モジュールとしては、記録媒体を作成するためのデータを一時的に記憶するハードディスク装置１３、記録データを記録媒体に書込むデータ記録部１４、レーベル印刷を行う印刷部１５、未使用記録媒体を多数収納している未使用媒体収納部１６、作成済記録媒体を収納保管する作成済媒体収納部１７、印刷待機のために記録媒体を一時的に保管する一時収納部２７、作成済記録媒体を外部に取出すための取出ゲート１８、記録媒体を目的の場所に搬送する記録媒体搬送機構１９、及び記録媒体の取出し等の各種操作を行う操作部２０を備えている。
【００２７】
尚、図１においては、印刷部１５は１台だけしか示していないが、データ記録部１４（１４ａ〜１４ｎ）と同様に印刷部１５も複数台設けることが可能である。
【００２８】
論理制御部１２は、管理制御部２１と装置制御部２２を備えており、これらはＣＰＵ及び制御プログラム、各種メモリ及び論理回路等(図示せず）から構成されて、記録媒体作成装置１０全体の管理及び各種動作を制御する。
【００２９】
管理制御部２１は、ＰＣ等５０〜５３からの各種要求を受け付け、当該要求を所定の優先順位に従い効率的に実行するために、各種要求のプロセス管理及び装置制御部２２の動作を制御（プロセス制御）する。
【００３０】
装置制御部２２は、管理制御部２１からの命令に従い、記録媒体搬送機構１９、データ記録部１４、印刷部１５を制御して、記録媒体の搬送、記録媒体への記録データの書き込み処理及びレーベル印刷処理を実行する。そのため装置制御部２２は、データ記録部１４の書き込み動作を制御する記録制御部４１、印刷部１５のレーベル印刷を制御する印刷制御部４２、記録媒体搬送機構１９の動作を制御して、記録媒体を所定の場所に搬送する搬送制御部４３、未使用媒体収納部１６及び作成済媒体収納部１７の収納状態を管理する収納管理部４４、及び取出ゲート１８を制御するゲート制御部４５を備えている。
【００３１】
＜記録媒体の作成手順＞
記録媒体作成装置１０は、ＰＣ等５０〜５３から記録媒体の作成要求を受け付け、作成要求の受付け順に記録媒体の作成処理を実行する。管理制御部２１の構成、要求受付処理、及び作成処理の管理とプロセス制御については後述するものとし、まず、図２を用いて、記録媒体の作成処理手順について説明する。
【００３２】
図２は、記録媒体の作成手順に沿って搬送される記録媒体の搬送手順を示す模式図である。尚、図２を含む以下の説明においては、記録媒体作成装置１０は、２つのデータ記録部１４ａ、１４ｂと、１つの印刷部１５を備えているものとして説明する。
【００３３】
記録媒体の作成処理は、管理制御部２１により制御される。具体的には、各記録媒体の作成手順を管理するプロセス管理、及び具体的に書込み処理及び印刷処理を実行させるプロセス制御に基づいて、装置制御部２２に各種命令を順次出力する。装置制御部２２は、管理制御部２１からの命令に基づいて、記録媒体搬送機構１９、記録データ記録部１４、印刷部１５、取出ゲート１８等の動作を順次起動し、記録媒体の作成処理を実行する。
【００３４】
記録媒体の作成要求を受け付けると、管理制御部２１はまず、少なくともデータ記録部１４ａまたは１４ｂのいずれかが使用可能であるかどうかを確認し、いずれも使用中の場合にはいずれかのデータ記録部１４が開放されるのを待つ（書込み待機）。いずれかのデータ記録部１４が使用可能である場合には、以下の手順で記録媒体の作成を実行する。
【００３５】
以下の（１）〜（７）の説明は、図２の符号（１）〜（７）と対応している。
（１）いずれか１つのデータ記録部１４が使用可能であることを確認すると、管理制御部２１は装置制御部２２に対して、未使用記録媒体をデータ記録部１４へ搬送するため、装置制御部２２に搬送命令を出力する。装置制御部２２は搬送命令を受信すると、搬送制御部４３により記録媒体搬送機構１９を制御して未使用媒体収納部１６から未使用記録媒体７０を取り出す。
（２）取り出された未使用記録媒体は、さらに、使用可能なデータ記録部１４へ搬送される。未使用記録媒体が搬送されて、データ記録部１４内にセットされると、管理制御部２１は、装置制御部２２に対して記録データの書き込み命令を出力する。これにより、装置制御部２２は、記録制御部４１の制御の下、記録媒体への書き込み処理を実行する。
（３）書き込み処理が終わると印刷部１５が使用可能かどうか確認する。印刷部１５が使用可能であると、データ記録部１４により書き込まれた記録媒体７１（以下、このような書込みのみが終了した記録媒体を「書込済記録媒体７１」と称する）を印刷部１５に搬送する搬送命令を出力する。これにより、装置制御部２２は、搬送制御部４３の制御の下、記録媒体搬送機構１９により書込済記録媒体７１を印刷部１５へ搬送する。
（４）印刷部１５が使用中であると、印刷部１５に書込済記録媒体７１を搬送することができないので、書込済記録媒体７１を一時収納部２７に搬送し、印刷部１５が開放されるのを待つ。これにより、データ記録部１４が開放され、印刷待機中であっても後続する他の記録媒体の書き込み処理が可能となる。
（５）印刷部１５が開放されると、搬送命令が出力され、一時収納部２７に退避中の記録媒体７１が印刷部１５に搬送される。
（６）印刷が完了すると、完成した作成済記録媒体７２は作成済媒体収納部１７に搬送されて、保管される。
（７）作成者がパスワード等を入力して記録媒体の取出しを要求すると、保管されている作成済記録媒体７２が取出ゲート１８に搬送され、取出ゲート１８が開かれて、作成済記録媒体７２は取出し可能となる。
【００３６】
＜作成要求の受付及びプロセス制御＞
図３に、本発明の一実施形態にかかる管理制御部２１の機能ブロック図を示す。管理制御部２１は、記録媒体の作成要求を受付け、作成処理手順（作成プロセス）を制御する。
【００３７】
管理制御部２１は、受信データを一時記憶する受信バッファ３１、送信データを一時記憶する送信バッファ３５、受信データを解析するデータ解析部３２、記録媒体の作成要求を受け付ける受付処理部３３、進捗情報の出力要求を処理する進捗要求処理部３６、作成要求に付随する関連データ（作成者の情報、記録データ、レーベル印刷データ等）を記憶するデータ記憶制御部３４、印刷データの画像イメージのサムネイルデータを生成するサムネイル生成部３７、記録媒体の作成のプロセスを管理するプロセス管理部３８、及び作成プロセスを制御するプロセス制御部３９を備えている。
【００３８】
ＰＣ等５０〜５３からの作成要求及びそれに付随する記録データ等は、通信インタフェース１１を介して、管理制御部２１に入力されて、管理制御部２１内の受信バッファ３１に一時的に記憶される。受信バッファ３１に一時記憶された受信データは、データ解析部３２により解析され、命令（要求）の種類に応じて、各要求に対応する処理機能を備えた機能ブロック３３，３６に出力される。本明細書では、命令処理機能ブロックとして、本発明に関連する機能ブロックである、記録媒体の作成命令を処理する受付処理部３３と、進捗情報の送信要求を処理する進捗要求処理部３６を示す。
【００３９】
＜受付処理部＞
受付処理部３３は、作成要求の受付け処理を行う。図４及び図５を用いて説明する。図４は受付処理部３３の基本処理手順の一例を示すフローチャートであり、図５は図４における受付処理工程（Ｓ１０２）の処理手順の一例を示すフローチャートである。
【００４０】
図４を用いて基本処理手順を説明する。受付処理部３３は、作成要求があるかどうかを確認している（Ｓ１０１）。データ解析部３２により受信したデータが作成要求であることが判明すると（Ｓ１０１；Ｙｅｓ）、作成要求の受付処理を行う（Ｓ１０２）。受付処理が完了すると（Ｓ１０３；Ｙｅｓ）、作成要求を実行するため、プロセス管理部３８に対して作成要求を実行する処理（ジョブ）のジョブ管理登録を要求する（Ｓ１０４）。これにより、受付処理が完了する。
【００４１】
図５を用いて、図４の受付処理工程（Ｓ１０２）の一例を説明する。記録媒体の作成要求があると（図４のＳ１０１；Ｙｅｓ）、後続する作成依頼者に関するデータ、属性データ等の管理データ、記録データ、レーベル印刷データ等の各種データを受信する（Ｓ２０１）。受信したデータは、管理データかどうか（Ｓ２０２）、記録データかどうか（Ｓ２０４）、印刷データかどうか（Ｓ２０７）が確認される。
【００４２】
受信したデータが作成者等の書誌的データや属性データ等の管理データの場合には（Ｓ２０２；Ｙｅｓ）、それらのデータをハードディスク装置１３に一時記憶する（Ｓ２０３）。受信データが記録媒体に書き込む記録データの場合（Ｓ２０４；Ｙｅｓ）、記録データを記録媒体の所定の記録フォーマットに変換し（Ｓ２０５）、ハードディスク装置１３に記憶する（Ｓ２０６）。
【００４３】
受信したデータがレーベル面に印刷するための印刷データ（レーベル印刷データ）の場合には（Ｓ２０７；Ｙｅｓ）、必要に応じて印刷データを印刷フォーマットに変換して（Ｓ２０８）、ハードディスク装置１３へ記憶する（Ｓ２０９）。印刷データを受信すると、さらにその印刷データに基づいて、レーベル印刷のイメージ(画像）を縮小して表示するサムネイルデータを生成し（Ｓ２１０）、ハードディスク装置１３へ記憶する（Ｓ２１１）。このような処理が、すべての受信データがハードディスク装置１３に記憶されるまで繰り返される（Ｓ２１２；Ｎｏ）。サムネイルデータの生成にどのような技術を用いるかは本発明にとって重要な要素ではないので、公知の技術の他、他のいかなる技術を用いることも可能である。すべての受信データの記憶が完了すると（Ｓ２１２；Ｙｅｓ）、前述したように、図４の基本フローに戻り（Ｓ１０３）、ジョブ管理登録要求が行われる（Ｓ１０４）。
【００４４】
図５の処理手順では、記録データの記録フォーマットへの変換処理、印刷データの印刷フォーマットへの変換処理、及びサムネイルデータの生成処理を、受付処理時に行う例を示した。しかし、これらの変換処理は、ＰＣ等５０〜５３で行い、記録媒体作成装置１０では変換処理及びサムネイル生成処理をしないように構成することもできる。また、書込みフォーマットへの変換を記録データの書込み処理時に、印刷フォーマットへの変換を印刷処理時に、サムネイルデータの生成を進捗情報要求時に行うように構成することも可能である。
【００４５】
＜プロセス管理部＞
次に、図６を用いてプロセス管理部３８の動作について説明する。図６は、作成要求を実行する作成処理（ジョブ）の状態を監視しているプロセス管理部３８の処理手順を示すフローチャートである。
プロセス管理部３８は、常時、新しいジョブ管理登録要求がないかどうか（Ｓ３０１）、プロセスに状態変化がないかどうか（Ｓ３０４）等のイベントを確認をしている。新規にジョブ管理登録要求があると（Ｓ３０１；Ｙｅｓ）、プロセス制御部３９に対して、書込処理の待ち行列（以下、「書込行列」または「書込処理キュー」と称する）への新規ジョブの登録を要求する（Ｓ３０２）。要求に基づきプロセス制御部３９の書込処理キューに新規ジョブが登録されると、プロセス制御部３９は書込処理キューに登録された順に書込み処理を実行する。続いて、プロセス管理部３８内のジョブ管理データへの新規登録を行う（Ｓ３０３）。
【００４６】
また、プロセスが進行して状態の変化があると、プロセス制御部３９からプロセス管理部３８に対してプロセス情報が送信される。プロセス管理部３８は、プロセス情報を受信すると（Ｓ３０４；Ｙｅｓ）、受信したプロセス情報に基づいて該当するジョブのジョブ管理データを更新する（Ｓ３０５）。さらに、受信したプロセス情報が記録データの書込みの終了であるかどうか（Ｓ３０６）、作成済記録媒体の取出しであるかどうかを確認する（Ｓ３０８）。
【００４７】
受信したプロセス情報が、書込み終了である場合には（Ｓ３０６；Ｙｅｓ）、プロセス制御部３９に対して印刷処理の待ち行列（以下、「印刷行列」または「印刷キュー」と称する）への登録要求をする（Ｓ３０７）。これにより、そのジョブは印刷処理待ち状態となる。プロセス制御部３９は、印刷部１５が使用可能になるのを待って、印刷キューに登録された順に印刷処理実行する。
【００４８】
受信したプロセス情報が、作成済記録媒体の取出しである場合には（Ｓ３０８；Ｙｅｓ）、ジョブ管理データから当該ジョブを削除して（Ｓ３０９）、当該ジョブのプロセス管理を終了する。
【００４９】
図７にジョブ管理データの一例を示す。図７に示すジョブ管理データ８０では、ジョブ１からジョブ１１までの１１個のジョブが登録されている。ジョブ１及びジョブ２は、書込みキューに登録されている「書込み待機中」のジョブである。詳細データに示す「ＷＱ１」及び「ＷＱ２」は書込キューに登録されている優先順位を表しており、現在書込み中の処理が終了すると、ＷＱ１からＷＱ２の順に書込み処理が実行される。サムネイルデータ保管アドレスの欄には、そのジョブに対応するサムネイルデータが記憶されている記憶アドレスが記録されている。進捗情報の要求があったときにサムネイルを作成する場合には、この欄には印刷データのアドレスを記録するようにしても良い。
【００５０】
ジョブ３及びジョブ４は、それぞれ記録装置＃２及び記録装置＃１において書込み処理が実行されている「書込み処理中」のジョブである。ジョブ５及びジョブ６は「印刷待機中」、ジョブ７は「印刷中」のジョブである。ジョブ８からジョブ１１は、書込み処理及びレーベル印刷が終了し、作成済記録媒体が記録装置１０の内部に保管されている「保管中」のジョブである。詳細データ欄に記載されている「Ｈ０１」〜「Ｈ０４」は、作成済記録媒体が収納されて作成済媒体収納部１７の保管位置を示している。ジョブ管理データは、図６に基づいて説明したプロセス管理に従い、プロセス情報を受信する度に更新され、作成済記録媒体が取り出されたときにジョブ管理データから削除される。
【００５１】
＜プロセス制御部＞
プロセス制御部３９は、装置制御部２２を制御して、記録媒体への記録データの書き込み、及びレーベル面の印刷を制御する。各ジョブの書込み処理及び印刷処理は、書込処理待ち行列、及び印刷処理待ち行列に登録されたジョブについて、それぞれのキューの登録順に実行される。書込み処理及び印刷処理の開始時には、装置制御部２２に対して搬送命令が出力され、記録媒体がその処理を実行するための処理装置まで搬送されて、所定の位置にセットされる。その後、書込命令または印刷命令が出力されることにより、装置制御部２２の制御に基づいて各処理が実行される。プロセス制御部３９は、書込み処理、印刷処理の各処理を実行する際に、「書込処理中」または「印刷中」等のプロセス情報をプロセス管理部３８に送信し、処理の終了時に「書込み終了」または「印刷終了」等のプロセス情報をプロセス管理部３８に送信する。プロセス管理部３８は、これらのプロセス情報に基づき、ジョブの状態を更新する。例えば、書込み中の情報を受信するまでは「書込み待機中」であり、書込み終了の情報を受信した後は、印刷中の情報を受信するまでは「印刷待機中」である。また、印刷終了の情報を受信した後は、当該作成済記録媒体７２が取出されるまでは「保管中」となる。
【００５２】
＜進捗情報表示要求の処理手順＞
次に、進捗要求処理部３６の動作について、図８を用いて説明する。図８は、進捗処理手順の一例を示すフローチャートである。ＰＣ等５０〜５３から進捗表示要求があると（Ｓ４０１；Ｙｅｓ）、プロセス管理部３８からジョブ管理データが読み出される（Ｓ４０２）。次に、各ジョブのサムネイルデータが読み出されて（Ｓ４０３）、ジョブ及びその進捗情報とサムネイル情報が結合される（Ｓ４０４）。これらのデータは、例えばＨＴＭＬ等の表示用のデータに変換されて（Ｓ４０５）、ＰＣ等５０〜５３に送信される（Ｓ４０６）。ＰＣ等５０〜５３では、ブラウザ５６により、表示部（図示せず）に受信した進捗表示データを表示する。
【００５３】
図９にサムネイルを用いて表示する本発明にかかる進捗表示例８１を示す。図９に示す進捗表示は、図７のジョブ管理データ８０と対応させて示している。図９の左端には、各ジョブで作成する記録媒体のレーベル印刷のイメージを表すサムネイル８２が表示されている。サムネイル８２によりジョブを特定するので、自分のジョブを容易に識別可能である。サムネイル８２の右には、そのジョブの状態が示されており、その右には、現在処理中のドライブ等が示されている。右端欄は、ジョブを特定する番号であり、作成申込み時に付与された識別番号等が表示される。
【００５４】
図１０は、サムネイルを使用した本発明の他の進捗表示例８３である。この例では、進捗表示要求をしたＰＣ等５０〜５３に関連するジョブのみをサムネイル８２で表示し、他のジョブはジョブ番号で表示するものである。このように関連するジョブのみをサムネイル８２を用いて表示することにより、自己のジョブの進捗状態がどこに表示されているかをより容易に認識することが可能となる。
【００５５】
図１１は、受付処理時にはサムネイルデータを生成せずに、進捗状態の表示要求があったときに、関連する一部のジョブだけのサムネイルデータを生成する場合の進捗表示の処理手順を示すフローチャートである。進捗表示要求があると（Ｓ５０１）、ジョブ管理データを読み出す（Ｓ５０２）。次に、進捗表示要求のあったＰＣ等５０〜５３から作成要求のあったジョブのみを抽出し（Ｓ５０３）、そのレーベル印刷データを読み出す（Ｓ５０４）。印刷データが読み出されると、印刷データからサムネイルデータを生成する（Ｓ５０５）。その後、サムネイルを関連するジョブの進捗情報と結合させ（Ｓ５０６）、表示データに変換した後（Ｓ５０７）、要求のあったＰＣ等５０〜５３に送信する（Ｓ５０８）。
【００５６】
以上の説明においては、記録媒体作成装置１０が管理制御部２１を備えている例を示したが、管理制御部２１は、クライアントＰＣ５０、５１内に設けても、サーバ５２内に設けても、ホスト装置５３内に設けても良い。
【図面の簡単な説明】
【００５７】
【図１】本発明の一実施形態にかかる記録媒体作成システムの構成を示す機能ブロック図である。
【図２】記録媒体の作成手順に沿って搬送される記録媒体の搬送手順を示す模式図である。
【図３】本発明の一実施形態にかかる管理制御部の機能ブロック図である。
【図４】受付処理部の基本処理手順を示すフローチャートである。
【図５】図４における受付処理工程（Ｓ１０２）の処理手順の一例を示すフローチャートである。
【図６】ジョブ管理の処理手順の一例を示すフローチャートである。
【図７】ジョブ管理データの一例を示す図である。
【図８】本発明にかかる進捗処理手順の一例を示すフローチャートである。
【図９】サムネイルを用いて表示する本発明にかかる進捗表示例を示す図である。
【図１０】サムネイルを用いて進捗情報を表示する本発明の他の進捗表示例を示す図である。
【図１１】本発明にかかる進捗表示の他の処理手順を示すフローチャートである。
【符号の説明】
【００５８】
１  記録媒体作成システム              １０  記録媒体作成装置
１１  通信インタフェース                １２  論理制御部
１３  ハードディスク装置                １４  データ記録部
１５  印刷装置                          １６  未使用媒体収納部
１７  作成済媒体収納部                  １８  取出ゲート
１９  記録媒体搬送機構                  ２０  操作部
２１  管理制御部                        ２２  装置制御部
２７  一時収納部                        ３１  受信バッファ
３２  データ解析部                      ３３  受付処理部
３４  データ記憶制御部                  ３５  送信バッファ
３６  進捗要求処理部                    ３７  サムネイル生成部
３８  プロセス管理部                    ３９  プロセス制御部
４１  記憶制御部                        ４２  印刷制御部
４３  搬送制御部                        ４４  収納管理部
４５  ゲート制御部                      ５０，５１  クライアントPC
５２  サーバ                            ５３  ホスト装置
５５  作成アプリ                        ５６  ブラウザ
６０  通信回線                          ７０  未使用記録媒体
７１  書込済記録媒体                    ７２  作成済記録媒体
８０  ジョブ管理データ                  ８１、８３  進捗表示例
８２  サムネイル
【図１】
0004556840.tif 000002
【図２】
0004556840.tif 000003
【図３】
0004556840.tif 000004
【図４】
0004556840.tif 000005
【図５】
0004556840.tif 000006
【図６】
0004556840.tif 000007
【図７】
0004556840.tif 000008
【図８】
0004556840.tif 000009
【図９】
0004556840.tif 000010
【図１０】
0004556840.tif 000011
【図１１】
0004556840.tif 000012